(57)【要約】【課題】中継装置の通信の優先順位を動的に決定する。【解決手段】受信部１１Ａが自サイト内の端末Ｂからのアップリンク信号を受信し、受信部１１Ｂが他の中継装置１Ｂを経由した端末Ａからの信号を受信したときに、選択部１２が、記憶部１５に記憶した端末Ａ，Ｂの使用履歴を比較し、自サイトからの新規通信回数が多い端末Ａ，Ｂからの信号を選択する。【選択図】図２
2020053826.tif 000002
【特許請求の範囲】
【請求項１】
端末装置間の通信を中継する中継装置であって、
第１の信号を第１の経路で受信し、第２の信号を第２の経路で受信する受信部と、
前記第１の経路を用いた通信の使用履歴を端末装置ごとに記憶する記憶部と、
前記第１の信号または前記第２の信号のいずれかを選択する選択部と、
前記選択部が選択した信号を送信する送信部と、を備え、
前記選択部は、前記第１の信号の送信元である端末装置の前記使用履歴と、前記第２の信号の送信元である端末装置の前記使用履歴を比較して信号を選択する
ことを特徴とする中継装置。
【請求項２】
前記第１の経路は端末装置からの信号を直接受信する経路であり、
前記第２の経路は他の中継装置を経由する経路である
ことを特徴とする請求項１に記載の中継装置。
【請求項３】
前記使用履歴は新規に通信を開始した通信回数であり、
前記選択部は、通信回数の多い前記端末装置を送信元とする信号を選択する
ことを特徴とする請求項１又は２に記載の中継装置。
【請求項４】
前記使用履歴は１回の通信時間が所定の時間以上となった通信の通信回数であり、
前記選択部は、通信回数の多い前記端末装置を送信元とする信号を選択する
ことを特徴とする請求項１又は２に記載の中継装置。
【請求項５】
端末装置間の通信を中継する中継方法であって、
第１の信号を第１の経路で受信するステップと、
第２の信号を第２の経路で受信するステップと、
前記第１の経路を用いた通信の使用履歴を端末装置毎に記憶するステップと、
前記第１の信号または前記第２の信号のいずれかを選択するステップと、
前記選択するステップで選択した信号を送信するステップと、を有し、
前記選択するステップは、前記第１の信号の送信元である端末装置の前記使用履歴と、前記第２の信号の送信元である端末装置の前記使用履歴と、を比較して信号を選択する
ことを特徴とする中継方法。
【発明の詳細な説明】
【技術分野】
【０００１】
本発明は、無線信号及びネットワーク経由の信号をレピートする技術に関する。
【背景技術】
【０００２】
複数の中継装置（レピータ）をＩＰネットワークで接続したマルチサイト環境では、レピータは、自サイトの端末からのアップリンク信号に加えて、ＩＰネットワークを経由した他サイトからの信号をダウンリンク信号として送信する。
【先行技術文献】
【特許文献】
【０００３】
【特許文献１】特開２００２−１３３２４４号公報
【発明の概要】
【発明が解決しようとする課題】
【０００４】
マルチサイト環境において、複数系統からの入力信号が衝突する場合、レピータは入力信号を選択して送信する必要がある。従来は、選択する信号の優先順位を事前に設定していた。例えば、レピータは、サイト内の端末からのアップリンクによる入力信号を優先し、他のサイトからネットワークを介した通信の入力信号の優先順位を下げた場合、サイト内でアップリンクによる入力信号が停止しないかぎり、ネットワークを経由した端末からの信号は拒絶されてしまう。しかしながら、選択する信号の優先順位は動的に決定できることが望ましい。
【０００５】
本発明は、上記に鑑みてなされたものであり、中継装置の通信の優先順位を動的に決定することを目的とする。
【課題を解決するための手段】
【０００６】
本発明に係る中継装置は、端末装置間の通信を中継する中継装置であって、第１の信号を第１の経路で受信し、第２の信号を第２の経路で受信する受信部と、前記第１の経路を用いた通信の使用履歴を端末装置ごとに記憶する記憶部と、前記第１の信号または前記第２の信号のいずれかを選択する選択部と、前記選択部が選択した信号を送信する送信部と、を備え、前記選択部は、前記第１の信号の送信元である端末装置の前記使用履歴と前記第２の信号の送信元である端末装置の前記使用履歴を比較して信号を選択することを特徴とする。
【０００７】
本発明に係る中継方法は、端末装置間の通信を中継する中継方法であって、第１の信号を第１の経路で受信するステップと、第２の信号を第２の経路で受信するステップと、前記第１の経路を用いた通信の使用履歴を端末装置毎に記憶するステップと、前記第１の信号または前記第２の信号のいずれかを選択するステップと、前記選択するステップで選択した信号を送信するステップと、を有し、前記選択するステップは、前記第１の信号の送信元である端末装置の前記使用履歴と前記第２の信号の送信元である端末装置の前記使用履歴とを比較して信号を選択することを特徴とする。
【発明の効果】
【０００８】
本発明によれば、中継装置の通信の優先順位を動的に決定することができる。
【図面の簡単な説明】
【０００９】
【図１】自サイトからのアップリンク信号と他サイトからの信号が衝突したときの様子を示す図である。
【図２】本実施形態の中継装置の構成を示す機能ブロック図である。
【図３】中継装置の動作を説明するための図である。
【図４】中継装置が使用履歴を更新するタイミングを説明するためのシーケンス図である。
【図５】中継装置が使用履歴を更新する処理の流れを示すフローチャートである。
【図６】中継装置が複数系統から受信した信号を選択する処理の流れを示すフローチャートである。
【図７】中継装置にコンソール端末が接続されている例を説明する図である。
【発明を実施するための形態】
【００１０】
まず、従来の中継装置（レピータ）において、信号が衝突したときの動作について説明する。例えば、図１のレピータ５０Ａは、自サイト内の端末からの無線によるアップリンク信号を高い優先順位に設定し、他サイトからのネットワーク１００を経由した信号を低い優先順位に設定しているとする。なお、レピータは、無線によるアップリンク信号をダウンリンク信号としてレピート送信する使用形態であるため、アップリンク信号の優先順位を高く、他のレピータからのネットワーク経由の信号の優先順位を低く設定することが多い。優先順位を逆に設定してもよい。
【００１１】
図１に示すように、レピータ５０Ａの自サイト内の端末Ｂからの無線によるアップリンク信号と他のレピータ５０Ｂのサイト内の端末Ａからのネットワーク１００経由の信号が衝突した場合、レピータ５０Ａは、事前の設定に従い、端末Ｂからの信号を優先して選択し、自サイト内の端末Ｃへ向けてダウンリンク信号を送信する。
【００１２】
レピータ５０Ａは、事前の設定に基づき、優先順位の高い自サイト内の端末からのアップリンク信号が入力されると、ネットワーク１００経由の信号を送信中であっても、ネットワーク１００経由の信号の送信を中断してアップリンク信号をレピートする。また、レピータ５０Ａは、アップリンク信号をレピートしているときは、ネットワーク１００からの信号を拒絶する。
【００１３】
優先順位が固定されている場合、不都合が生じることがあった。例えば、レピータ５０Ａのサイト内で端末Ｃと通信していた端末Ａが、レピータ５０Ｂ配下の他のサイトにローミングし、レピータ５０Ａのサイト内の端末Ｃと通信する際、レピータ５０Ａがサイト内の端末Ｂのアップリンク信号をレピートするときは、レピータ５０Ｂ及びネットワーク１００を経由した端末Ａからの信号が拒絶されてしまう。
【００１４】
以下、一実施形態の中継装置について、図面を参照して説明する。
【００１５】
図２に示す本実施形態の中継装置１は、２系統の受信部１１Ａ，１１Ｂ、選択部１２、送信部１３、カウント部１４、及び記憶部１５を備える。中継装置１が備える各部は、演算処理装置、記憶装置等を備えたコンピュータにより構成して、各部の処理がプログラムによって実行されるものとしてもよい。このプログラムは中継装置１が備える記憶装置に記憶されており、磁気ディスク、光ディスク、半導体メモリ等の記録媒体に記録することも、ネットワークを通して提供することも可能である。
【００１６】
受信部１１Ａは、自サイト内の端末からアップリンク信号を受信する。受信部１１Ａは、後述するコンソール端末からの信号を受信してもよい。
【００１７】
受信部１１Ｂは、ネットワーク１００に接続され、他の中継装置からのネットワーク１００経由の信号を受信する。
【００１８】
選択部１２は、受信部１１Ａが受信したアップリンク信号と受信部１１Ｂが受信したネットワーク１００経由の信号が衝突した際、記憶部１５の記憶する端末ごとの使用履歴に基づいてダウンリンク信号として送信する信号を選択する。受信部１１Ａ，１１Ｂのそれぞれが受信する信号が衝突しない場合は、受信部１１Ａ，１１Ｂのいずれかが受信した信号を選択する。
【００１９】
送信部１３は、選択部１２の選択した信号をダウンリンク信号として中継装置１配下のサイト内の端末に向けて送信する。
【００２０】
カウント部１４は、サイト内の端末からのアップリンク信号に基づいて、記憶部１５の記憶する使用履歴を更新する。本実施形態では、使用履歴として、端末が中継装置１に対して新規通話を開始する信号を送信した通信回数を用いる。例えば、中継装置１がダウンリンク信号を送信していないとき、サイト内の端末ＡがＰＴＴ（Ｐｕｓｈ−ｔｏ−Ｔａｌｋ）スイッチを押下して通話を開始した場合、カウント部１４は、受信部１１Ａが端末Ａからの信号を受信したことを受けて、記憶部１５の記憶する端末Ａの通信回数を１増加する。
【００２１】
記憶部１５は、各端末の使用履歴を記憶する。具体的には、端末に付与されたユニットＩＤ（Ｕｎｉｔ  ＩＤ）に新規通話を開始した通信回数を対応付けて記憶する。本実施形態では、新規通話の回数のみをカウントし、トークバックの回数を通信回数に加えない。新規通話は、中継装置１が信号を送信していないときに端末から開始された通話である。中継装置１は、通話を開始すると、端末からの信号が停止した後も一定時間送信を維持する。この一定時間は、応答（トークバック）を円滑に行うための時間であり、Ｒｅｐｅａｔｅｒ  Ｈｏｌｄ  Ｔｉｍｅという。トークバックは、Ｒｅｐｅａｔｅｒ  Ｈｏｌｄ  Ｔｉｍｅが満了するまでの、中継装置１が送信を継続している間に、端末から開始された通話である。
【００２２】
記憶部１５は、各端末の使用履歴として、相手端末のユニットＩＤ（個別ＩＤまたはグループＩＤ）、通信時間、及び新規通話またはトークバックの別を記憶してもよい。記憶部１５は、各端末の使用履歴として、所定の条件を満たした通信回数を記憶してもよい。
【００２３】
次に、本実施形態の中継装置の動作について説明する。
【００２４】
図３の例では、本実施形態の中継装置１Ａ，１Ｂが、インターネットなどの公衆網であるネットワーク１００を介して接続されている。中継装置１Ａは、使用履歴として、端末Ａ，Ｂ，Ｃの通信回数を記憶している。具体的には、図３に示すように、ユニットＩＤが１の端末Ａの通信回数は１００、ユニットＩＤが２の端末Ｂの通信回数は５０、及びユニットＩＤが３の端末Ｃの通信回数は１０である。
【００２５】
端末Ａが中継装置１Ｂ配下にローミングした後、中継装置１Ｂを介して通話を開始したとする。中継装置１Ｂは、端末Ａから受信した信号をＩＰ（Ｉｎｔｅｒｎｅｔ  Ｐｒｏｔｏｃｏｌ）によりネットワーク１００経由で中継装置１Ａへ送信する。このとき、中継装置１Ａのサイト内の端末Ｂも通話を開始したとする。中継装置１Ａは、中継装置１Ｂからネットワーク１００経由した端末Ａの信号と無線による端末Ｂのアップリンク信号を受信する。
【００２６】
中継装置１Ａは、複数系統の経路から同時に信号を受信したので、信号の送信元の端末Ａ，Ｂの通信回数に基づいて自サイトで送信する信号を選択する。図３の例では、端末Ａの通信回数は１００、端末Ｂの通信回数は５０である。端末Ａの通信回数は端末Ｂの通信回数よりも多いので、中継装置１Ａは、端末Ａが送信した信号をダウンリンク信号として選択し、自サイト内の端末Ｃへ送信する。なお、中継装置１Ａは、端末Ａからの信号を受信している間、端末Ｂからのアップリンク信号をダウンリンク信号として選択しない。また、端末Ｂが中継装置１Ａを介して通信しているときに、中継装置１Ａが端末Ａからの信号を受信すると、端末Ｂの通信は中断される。
【００２７】
このように、本実施形態の中継装置１Ａは、自サイトの端末Ａが他の中継装置１Ｂのサイトへローミング時に通信を行った場合、自サイトでの端末Ａの通信回数を基に、端末Ａのネットワーク１００経由の通信を自サイトの端末Ｂからの通信よりも優先させるか否か判断する。
【００２８】
続いて、図４のシーケンス図を用いて、中継装置による使用履歴の更新のタイミングについて説明する。
【００２９】
図４では、横軸が時間軸であり、縦方向の矢印は送信される信号を示す。中継装置のサイト内には端末Ａ，Ｂ，Ｃが存在しているとする。
【００３０】
中継装置のサイト内の端末Ａから中継装置へ通話信号の送信が開始され、中継装置は通話信号の受信を開始する（ステップＳ１０１）。
【００３１】
中継装置が端末Ａからの通話信号を受信すると、端末ＡのユニットＩＤに対応する通信回数を１増加するとともに（ステップＳ１０２）、中継装置は、端末Ａから受信する通話信号のサイト内への送信を開始する（ステップＳ１０３）。中継装置から送信した信号は、そのサイト内の端末が受信できる状態であるか否かに係わりなく到達する。例えば端末Ａが単信方式であり、送信中に受信が出来ない場合であっても、中継装置からの信号は到達する。また、端末が、送信中に中継装置から到達した信号を受信し、復調できる機能を備えていてもよい。
【００３２】
中継装置は、端末Ａが通話信号を送信している間、つまり端末ＡのＰＴＴスイッチがオフにされるまで通話信号のレピートを続ける。
【００３３】
端末ＡのＰＴＴスイッチがオフにされると（ステップＳ１０４）、中継装置は、通話信号の送信を停止し、Ｒｅｐｅａｔｅｒ  Ｈｏｌｄ  Ｔｉｍｅとして指定された時間のタイマを開始するとともに（ステップＳ１０５，Ｓ１０６）、サイト内へ無音の継続信号の送信を開始する（ステップＳ１０７）。中継装置は、タイマが満了するか、端末Ａ，Ｂ，Ｃからトークバックがあるまで継続信号を送信し続ける。
【００３４】
タイマが満了前に端末ＢのＰＴＴスイッチがオンにされ、中継装置が端末Ｂから通話信号を受信すると（ステップＳ１０８）、中継装置はタイマを停止するとともに（ステップＳ１０９）、端末Ｂから受信する通話信号のサイト内への送信を開始する（ステップＳ１１０）。タイマ満了前に受信した端末Ｂからの通話信号はトークバックである。本実施形態では、トークバックによる通話は通信回数としてカウントしない。つまり、ステップＳ１０８では端末ＢのユニットＩＤに対応する通信回数を更新しない。
【００３５】
中継装置は、端末Ｂが通話信号を送信している間、通話信号のレピートを続ける。
【００３６】
端末ＢのＰＴＴスイッチがオフにされると（ステップＳ１１１）、中継装置は、通話信号の送信を停止し、Ｒｅｐｅａｔｅｒ  Ｈｏｌｄ  Ｔｉｍｅとして指定された時間のタイマを開始するとともに（ステップＳ１１２，Ｓ１１３）、サイト内へ無音の継続信号の送信を開始する（ステップＳ１１４）。
【００３７】
中継装置は、タイマが満了すると継続信号の送信を停止する（ステップＳ１１５）。ステップＳ１１５のタイマが満了した時点で、ステップＳ１０１で端末Ａが開始した通話が完了する。本実施形態では、ステップＳ１０２において中継装置が端末Ａからの通話信号を受信したときに端末Ａの通信回数を更新したが、ステップＳ１１５において通話が完了した時点で最初に通話を開始した端末Ａの通信回数を更新してもよい。
【００３８】
使用履歴として、通話時間を考慮した通信回数を用いてもよい。例えば、中継装置は、端末Ａ，Ｂ，Ｃからの通話信号をレピートしている間の通話時間を計測し、通話時間が所定の時間以上（例えば３０秒以上）であった通信の回数をカウントする。この場合、通話が新規通話であるかトークバックであるかに関わらず、通話時間が所定の時間以上であれば、その端末Ａ，Ｂ，Ｃの通信回数を１増加する。具体的には、図４のステップＳ１０１からステップＳ１０４までの時間が所定の時間以上であれば端末Ａの通信回数を１増加し、ステップＳ１０８からステップＳ１１１までの時間が所定の時間以上であれば端末Ｂの通信回数を１増加する。
【００３９】
続いて、図５のフローチャートを用いて、カウント部１４が通信回数を更新する処理の流れについて説明する。図５に示す処理は、中継装置１の受信部１１Ａがアップリンク信号を受信したタイミング、具体的には、図４のステップＳ１０１及びステップＳ１０８のタイミングでカウント部１４によって実行される。
【００４０】
カウント部１４は、受信部１１Ａの受信した通話信号は新規通話であるか否か判定し（ステップＳ２０１）、新規通話でない場合は処理を終了する。例えば、受信部１１Ａの受信した通話信号が図４のステップＳ１０８のようにトークバックである場合、カウント部１４は処理を終了する。
【００４１】
新規通話の場合、カウント部１４は、新規通話の通話信号から送信元のユニットＩＤを取得する（ステップＳ２０２）。
【００４２】
カウント部１４は、送信元のユニットＩＤに対応するカウント値（通信回数）が記憶部１５に記憶されているか判定する（ステップＳ２０３）。
【００４３】
記憶部１５に送信元のユニットＩＤに対応するカウント値が記憶されている場合、カウント部１４は、記憶部１５から送信元のユニットＩＤに対応するカウント値を取得し（ステップＳ２０４）、取得したカウント値を１増加して（ステップＳ２０５）、記憶部１５に更新したカウント値を記憶させる（ステップＳ２０７）。
【００４４】
記憶部１５に送信元のユニットＩＤに対応するカウント値が記憶されていない場合、カウント部１４は、カウント値を１に設定し（ステップＳ２０６）、記憶部１５に送信元のユニットＩＤと初期化したカウント値を対応付けて記憶させる（ステップＳ２０７）。
【００４５】
以上の処理により、各端末の通信回数が更新される。本実施形態では、中継装置１は自サイト内の無線経由の通信では通信回数の更新を行うが、ネットワーク経由の通信では通信回数の更新を行わない。中継装置１は、自サイト内の端末以外にネットワーク経由の通信の端末の通信回数を記録してもよい。
【００４６】
通信回数に関しては、同じ回数であっても、時間軸的に見て過去よりも直近のほうが重要であると考え、通信回数を経過時間に応じて重み付けした形で数値化してもよい。例えば、カウント部１４は、ＡＭ０：００などの所定のタイミングで、各ユニットＩＤに対応する通信回数を半分に更新することで、昨日までの通信回数よりも当日の通信回数に重み付けをしてもよい。
【００４７】
中継装置１は、使用履歴として新規通話を開始した日時を記憶してもよく、所定の期間の新規通話の回数をカウント値としてもよい。そして、所定の期間以前の使用履歴を自律的に削除してもよい。また、システム管理者が意識的に中継装置１を操作することでカウント値を初期化してもよい。
【００４８】
続いて、図６のフローチャートを用いて、選択部１２が複数系統の経路から受信した信号を選択する処理の流れについて説明する。図６に示す処理は、無線経由の通信開始時または終了時、及びネットワーク経由の通信開始時または終了時に、選択部１２により実行される。
【００４９】
選択部１２は、無線による信号を受信部１１Ａが受信したか、他の中継装置からのネットワークを経由した信号を受信部１１Ｂが受信したかを判定する（ステップＳ３０１〜Ｓ３０３）。
【００５０】
無線による信号のみを受信した場合、選択部１２は無線による信号を送信部１３へ送信する（ステップＳ３０９）。送信部１３は、選択部１２から受信した信号を無線により自サイト内へ送信する。
【００５１】
他の中継装置からのネットワーク経由の信号のみを受信した場合、選択部１２はネットワーク経由の信号を送信部１３へ送信する（ステップＳ３１０）。送信部１３は、選択部１２から受信した信号を無線により自サイト内へ送信する。
【００５２】
無線による信号とネットワーク経由の信号の両方を受信した場合、選択部１２は、ネットワーク経由の信号から送信元のユニットＩＤを取得し、そのユニットＩＤに対応するカウント値（以下、「Ｃｏｕｎｔ＿ＩＰ」と称する）を記憶部１５から取得する（ステップＳ３０４）。
【００５３】
さらに、選択部１２は、無線による信号から送信元のユニットＩＤを取得し、そのユニットＩＤに対応するカウント値（以下、「Ｃｏｕｎｔ＿ＲＦ」と称する）を記憶部１５から取得する（ステップＳ３０５）。
【００５４】
選択部１２は、Ｃｏｕｎｔ＿ＩＰとＣｏｕｎｔ＿ＲＦを比較する（ステップＳ３０６）。
【００５５】
Ｃｏｕｎｔ＿ＩＰとＣｏｕｎｔ＿ＲＦが等しい場合だけでなく、Ｃｏｕｎｔ＿ＩＰとＣｏｕｎｔ＿ＲＦの差が所定の閾値以下の場合、選択部１２は、Ｃｏｕｎｔ＿ＩＰとＣｏｕｎｔ＿ＲＦとの間に差が無いと判定し、事前に設定された優先順位に基づいて信号を選択する（ステップＳ３０７）。具体的には、事前の設定において、無線による信号の優先順位がネットワーク経由の信号の優先順位よりも高い場合、図６のフローチャートの左側に進み、選択部１２は無線による信号を送信部１３へ送信する（ステップＳ３０９）。事前の設定において、ネットワーク経由の信号の優先順位が無線による信号の優先順位よりも高い場合、図６のフローチャートの右側に進み、選択部１２はネットワーク経由の信号を送信部１３へ送信する（ステップＳ３１０）。
【００５６】
Ｃｏｕｎｔ＿ＩＰとＣｏｕｎｔ＿ＲＦとの差が所定の閾値より大きい場合、選択部１２は、Ｃｏｕｎｔ＿ＩＰとＣｏｕｎｔ＿ＲＦの値の大きさに基づいて信号を選択する（ステップＳ３０８）。具体的には、Ｃｏｕｎｔ＿ＲＦがＣｏｕｎｔ＿ＩＰよりも大きい場合、図６のフローチャートの左側に進み、選択部１２は無線による信号を送信部１３へ送信する（ステップＳ３０９）。Ｃｏｕｎｔ＿ＩＰがＣｏｕｎｔ＿ＲＦよりも大きい場合、図６のフローチャートの右側に進み、選択部１２はネットワーク経由の信号を送信部１３へ送信する（ステップＳ３１０）。
【００５７】
以上の処理により、使用履歴または事前に設定された優先順位に基づいて、複数系統の経路から同時に受信した信号のうちのいずれかの信号が選択される。なお、使用履歴は、自サイト内の端末同士の通信の優先度には影響しない。
【００５８】
中継装置１Ａとネットワーク１００を介して通信するコンソール端末Ｄ，Ｅも中継装置１Ａのサイト内の端末と同様に扱う。つまり、コンソール端末Ｄ，Ｅからの信号は、中継装置１Ａが直接受信する経路といえる。中継装置１Ａは、配下のコンソール端末Ｄ，Ｅの使用履歴を記憶しておく。他の中継装置１Ｂからの信号とコンソール端末Ｄ，Ｅからの信号が衝突するときは、使用履歴に基づいてコンソール端末Ｄ，Ｅからの信号と中継装置１Ｂからの信号のいずれかの信号を選択する。
【００５９】
図７の例では、中継装置１Ａがコンソール端末Ｅからの信号と中継装置１Ｂのサイト内の端末Ａからの信号とを同時に受信したが、端末Ａの通信回数がコンソール端末Ｅの通信回数よりも多かったので、コンソール端末Ｅからの信号を拒絶し、中継装置１Ｂからの信号を送信した。コンソール端末Ｅの通信回数が端末Ａの通信回数よりも多い場合は、コンソール端末Ｅの信号が優先される。
【００６０】
なお、コンソール端末Ｄ，Ｅからの信号は、ネットワーク１００を介して受信部１１Ａで受信される。受信部１１Ａは、中継装置１Ａ配下の端末からの信号を直接受信し、受信部１１Ｂは、他の中継装置１Ｂを経由した信号を受信する。
【００６１】
以上説明したように、本実施の形態によれば、受信部１１Ａが自サイト内の端末Ｂからのアップリンク信号を受信し、受信部１１Ｂが他の中継装置１Ｂを経由した端末Ａからの信号を受信したときに、選択部１２が、記憶部１５に記憶した端末Ａ，Ｂの使用履歴を比較し、自サイトからの新規通信回数が多い端末Ａ，Ｂからの信号を選択することにより、中継装置１Ａの通信の優先順位を動的に決定することができる。
【符号の説明】
【００６２】
１，１Ａ，１Ｂ…中継装置
１１Ａ，１１Ｂ…受信部
１２…選択部
１３…送信部
１４…カウント部
１５…記憶部
５０Ａ，５０Ｂ…レピータ
１００…ネットワーク
【図１】
2020053826.tif 000003
【図２】
2020053826.tif 000004
【図３】
2020053826.tif 000005
【図４】
2020053826.tif 000006
【図５】
2020053826.tif 000007
【図６】
2020053826.tif 000008
【図７】
2020053826.tif 000009